(57)【要約】【課題】オイルの収率向上を図り得る炭素質固体燃料熱分解オイル製造方法及び装置を提供する。【解決手段】炭素質固体燃料を分散させて降下させつつ流動層炉１で得られる熱により加熱して熱分解ガスを生成する熱分解器２と、熱分解器２の内部で発生した熱分解ガスを冷却しつつ導出する熱分解ガス収集器３と、熱分解ガス収集器３から導出される熱分解ガスよりオイルを回収するオイル回収部Ｒとを備える。【選択図】図１
2018030900.tif 000002
【特許請求の範囲】
【請求項１】
ベッド材を流動化ガスにより流動化させつつチャーを燃焼又は部分酸化させる熱生成工程と、
炭素質固体燃料を分散させて降下させつつ前記熱生成工程で得られる熱により加熱して熱分解ガスを生成する熱分解ガス生成工程と、
該熱分解ガス生成工程で生成された熱分解ガスを冷却する熱分解ガス収集工程と、
該熱分解ガス収集工程で冷却された熱分解ガスよりオイルを回収するオイル回収工程と
を有する炭素質固体燃料熱分解オイル製造方法。
【請求項２】
前記オイル回収工程は、
熱分解ガスの脱塵を行う脱塵工程と、
該脱塵工程で脱塵された熱分解ガスを冷却してオイルを分離する冷却分離工程と
を含む請求項１記載の炭素質固体燃料熱分解オイル製造方法。
【請求項３】
前記冷却分離工程でオイルが分離された熱分解ガスの一部を、前記熱生成工程で生じる高温ガスと熱交換させる熱交換工程を有し、
該熱交換工程で熱交換させた熱分解ガスを前記熱分解ガス生成工程で使用される炭素質固体燃料の分散用として供給する請求項２記載の炭素質固体燃料熱分解オイル製造方法。
【請求項４】
前記熱交換工程で熱交換された熱分解ガスの一部を前記熱生成工程の補助燃料として用いる請求項３記載の炭素質固体燃料熱分解オイル製造方法。
【請求項５】
炭素質固体燃料を分散させて降下させつつ流動層炉で得られる熱により加熱して熱分解ガスを生成する熱分解器と、
該熱分解器の内部で発生した熱分解ガスを冷却しつつ導出する熱分解ガス収集器と、
該熱分解ガス収集器から導出される熱分解ガスよりオイルを回収するオイル回収部と
を備えた炭素質固体燃料熱分解オイル製造装置。
【請求項６】
前記流動層炉は、底部から流動化ガスとして空気が導入されてベッド材を流動化させつつチャーを燃焼させる流動層燃焼器である請求項５記載の炭素質固体燃料熱分解オイル製造装置。
【請求項７】
前記流動層炉は、底部から流動化ガスとして空気と酸素と水蒸気とが導入されてベッド材を流動化させつつチャーを部分酸化させる流動層ガス化器である請求項５記載の炭素質固体燃料熱分解オイル製造装置。
【請求項８】
前記熱分解器は、前記流動層炉の内部に配置され且つ底部にダウンカマーが接続され、
該ダウンカマーの下端部は、前記流動層炉の内部のベッド材からなる流動層に埋没する請求項５〜７の何れか一項に記載の炭素質固体燃料熱分解オイル製造装置。
【請求項９】
前記熱分解ガス収集器は、前記熱分解器の内部に配置され且つ外筒と内筒とを備え、
前記内筒には、前記熱分解器の内部で発生した熱分解ガスを吸引するガス誘導管が接続され、
前記外筒と内筒との間は冷却剤流通空間であり、
前記外筒の外周面は断熱材で覆われた請求項５〜８の何れか一項に記載の炭素質固体燃料熱分解オイル製造装置。
【請求項１０】
前記熱分解ガス収集器から導出される熱分解ガスの脱塵を行うフィルタと、
該フィルタで脱塵された熱分解ガスを冷却してオイルを分離する冷却分離器と
を備えた請求項５〜９の何れか一項に記載の炭素質固体燃料熱分解オイル製造装置。
【請求項１１】
前記冷却分離器でオイルが分離された熱分解ガスの一部を、前記流動層炉から導出される高温ガスと熱交換させて前記熱分解器へ炭素質固体燃料の分散用として供給する熱交換器を備えた請求項１０記載の炭素質固体燃料熱分解オイル製造装置。
【請求項１２】
前記熱交換器から熱分解器へ導かれる熱分解ガスの一部は、前記流動層炉の補助燃料として用いられる請求項１１記載の炭素質固体燃料熱分解オイル製造装置。
【請求項１３】
前記熱分解器は、前記熱交換器からの熱分解ガスが炭素質固体燃料と一緒に導入される複数のノズルを備え、
該ノズルは、前記熱分解器の円筒状本体の上部にその半径方向へ対向して延びるよう接続される請求項１１又は１２記載の炭素質固体燃料熱分解オイル製造装置。
【請求項１４】
前記熱分解器は、前記熱交換器からの熱分解ガスが炭素質固体燃料と一緒に導入されるノズルを備え、
該ノズルは、前記熱分解器の円筒状本体の上部にその接線方向へ延びるよう接続される請求項１１又は１２記載の炭素質固体燃料熱分解オイル製造装置。
【発明の詳細な説明】
【技術分野】
【０００１】
本発明は、炭素質固体燃料熱分解オイル製造方法及び装置に関するものである。
【背景技術】
【０００２】
従来、バイオマス或いは低品位炭等の炭素質固体燃料の熱分解を用いたオイル製造と関連する一般的技術水準を示すものとしては、例えば、特許文献１がある。
【０００３】
前記特許文献１に開示されている装置は、チャーと可燃ガスの供給を受けてこれを燃焼し高温の燃焼ガスを発生する燃焼炉と、供給されるバイオマスを気流層で熱分解し、可燃ガス、タール、チャーを生成する気流層熱分解器とを備え、熱分解により生成したチャーの一部と可燃ガスの一部が前記燃焼炉へ供給されるようになっている。
【先行技術文献】
【特許文献】
【０００４】
【特許文献１】特開２０１０−１１６５３７号公報
【発明の概要】
【発明が解決しようとする課題】
【０００５】
しかしながら、前記特許文献１に開示されている装置においては、流動層式の熱分解器が使用されることにより、以下のような問題が生じていた。
【０００６】
即ち、前記流動層式の熱分解器では、粒子とガスの流通方向が重力とは逆で下方から上方へ向うため、流通方向とは逆方向となる重力による流れに伴う、いわゆる逆混合（backmixing）が存在する。これによって、生成されたオイル（タール）とチャーとが接触する確率が増加し、チャーの表面で触媒作用等の影響によりオイルが分解・還元され、オイルの収率が下がってしまう。
【０００７】
又、前記熱分解器の出口が上部に設定され、該熱分解器の内部で生成されたオイルの滞留時間が長くなりすぎ、オイルが出口まで移動する過程で分解・還元されることも、オイルの収率が下がる要因となっていた。
【０００８】
更に又、通常、オイルの更なる反応を抑制し、オイルの収率を上げるためには、生成されたオイルを急速に冷却する必要がある。しかし、前記熱分解器で生成されたオイルは急速に冷却されず、該熱分解器の内部を上昇中に高温下で分解・還元される懸念があり、オイルの収率低下が避けられない。
【０００９】
本発明は、上記従来の問題点に鑑みてなしたもので、オイルの収率向上を図り得る炭素質固体燃料熱分解オイル製造方法及び装置を提供しようとするものである。
【課題を解決するための手段】
【００１０】
上記目的を達成するために、本発明の炭素質固体燃料熱分解オイル製造方法は、ベッド材を流動化ガスにより流動化させつつチャーを燃焼又は部分酸化させる熱生成工程と、
炭素質固体燃料を分散させて降下させつつ前記熱生成工程で得られる熱により加熱して熱分解ガスを生成する熱分解ガス生成工程と、
該熱分解ガス生成工程で生成された熱分解ガスを冷却する熱分解ガス収集工程と、
該熱分解ガス収集工程で冷却された熱分解ガスよりオイルを回収するオイル回収工程と
を有することができる。
【００１１】
前記炭素質固体燃料熱分解オイル製造方法において、前記オイル回収工程は、
熱分解ガスの脱塵を行う脱塵工程と、
該脱塵工程で脱塵された熱分解ガスを冷却してオイルを分離する冷却分離工程と
を含むことができる。
【００１２】
前記炭素質固体燃料熱分解オイル製造方法においては、前記冷却分離工程でオイルが分離された熱分解ガスの一部を、前記熱生成工程で生じる高温ガスと熱交換させる熱交換工程を有し、
該熱交換工程で熱交換させた熱分解ガスを前記熱分解ガス生成工程で使用される炭素質固体燃料の分散用として供給することができる。
【００１３】
前記炭素質固体燃料熱分解オイル製造方法においては、前記熱交換工程で熱交換された熱分解ガスの一部を前記熱生成工程の補助燃料として用いることができる。
【００１４】
一方、上記目的を達成するために、本発明の炭素質固体燃料熱分解オイル製造装置は、炭素質固体燃料を分散させて降下させつつ流動層炉で得られる熱により加熱して熱分解ガスを生成する熱分解器と、
該熱分解器の内部で発生した熱分解ガスを冷却しつつ導出する熱分解ガス収集器と、
該熱分解ガス収集器から導出される熱分解ガスよりオイルを回収するオイル回収部と
を備えることができる。
【００１５】
前記炭素質固体燃料熱分解オイル製造装置において、前記流動層炉は、底部から流動化ガスとして空気が導入されてベッド材を流動化させつつチャーを燃焼させる流動層燃焼器とすることができる。
【００１６】
又、前記炭素質固体燃料熱分解オイル製造装置において、前記流動層炉は、底部から流動化ガスとして空気と酸素と水蒸気とが導入されてベッド材を流動化させつつチャーを部分酸化させる流動層ガス化器とすることもできる。
【００１７】
前記炭素質固体燃料熱分解オイル製造装置において、前記熱分解器は、前記流動層炉の内部に配置され且つ底部にダウンカマーが接続され、
該ダウンカマーの下端部は、前記流動層炉の内部のベッド材からなる流動層に埋没させることができる。
【００１８】
前記炭素質固体燃料熱分解オイル製造装置において、前記熱分解ガス収集器は、前記熱分解器の内部に配置され且つ外筒と内筒とを備え、
前記内筒には、前記熱分解器の内部で発生した熱分解ガスを吸引するガス誘導管が接続され、
前記外筒と内筒との間は冷却剤流通空間であり、
前記外筒の外周面は断熱材で覆うことができる。
【００１９】
前記炭素質固体燃料熱分解オイル製造装置においては、前記熱分解ガス収集器から導出される熱分解ガスの脱塵を行うフィルタと、
該フィルタで脱塵された熱分解ガスを冷却してオイルを分離する冷却分離器と
を備えることができる。
【００２０】
前記炭素質固体燃料熱分解オイル製造装置においては、前記冷却分離器でオイルが分離された熱分解ガスの一部を、前記流動層炉から導出される高温ガスと熱交換させて前記熱分解器へ炭素質固体燃料の分散用として供給する熱交換器を備えることもできる。
【００２１】
前記炭素質固体燃料熱分解オイル製造装置において、前記熱交換器から熱分解器へ導かれる熱分解ガスの一部は、前記流動層炉の補助燃料として用いることもできる。
【００２２】
前記炭素質固体燃料熱分解オイル製造装置において、前記熱分解器は、前記熱交換器からの熱分解ガスが炭素質固体燃料と一緒に導入される複数のノズルを備え、
該ノズルは、前記熱分解器の円筒状本体の上部にその半径方向へ対向して延びるよう接続することができる。
【００２３】
又、前記炭素質固体燃料熱分解オイル製造装置において、前記熱分解器は、前記熱交換器からの熱分解ガスが炭素質固体燃料と一緒に導入されるノズルを備え、
該ノズルは、前記熱分解器の円筒状本体の上部にその接線方向へ延びるよう接続することもできる。
【発明の効果】
【００２４】
本発明の炭素質固体燃料熱分解オイル製造方法及び装置によれば、オイルの収率向上を図り得るという優れた効果を奏し得る。
【図面の簡単な説明】
【００２５】
【図１】本発明の炭素質固体燃料熱分解オイル製造方法及び装置の第一実施例を示す全体概要構成図である。
【図２】本発明の炭素質固体燃料熱分解オイル製造方法及び装置の第一実施例における熱分解ガス収集器を示す要部拡大断面図である。
【図３】本発明の炭素質固体燃料熱分解オイル製造方法及び装置の第一実施例における熱分解器の平面図であって、（ａ）は二本のノズルを熱分解器の円筒状本体の上部にその半径方向へ対向して延びるよう接続した例を示す図、（ｂ）は四本のノズルを熱分解器の円筒状本体の上部にその半径方向へ対向して延びるよう９０°ずつ角度をずらして接続した例を示す図、（ｃ）は四本のノズルを熱分解器の円筒状本体の上部にその接線方向へ延びるよう接続した例を示す図である。
【図４】本発明の炭素質固体燃料熱分解オイル製造方法及び装置の第一実施例におけるフローチャートである。
【図５】本発明の炭素質固体燃料熱分解オイル製造方法及び装置の第二実施例を示す全体概要構成図である。
【発明を実施するための形態】
【００２６】
以下、本発明の実施の形態を添付図面を参照して説明する。
【００２７】
図１〜図４は本発明の炭素質固体燃料熱分解オイル製造方法及び装置の第一実施例である。
【００２８】
第一実施例の場合、流動層炉１と熱分解器２と熱分解ガス収集器３とオイル回収部Ｒとを備えている。
【００２９】
前記流動層炉１は、底部から流動化ガスとして空気が導入されて砂等のベッド材を流動化させつつチャーを燃焼させる流動層燃焼器１Ａである。
【００３０】
前記熱分解器２は、炭素質固体燃料を分散させて降下させつつ流動層炉１で得られる熱により加熱して熱分解ガスを生成するものであって、前記流動層炉１の内部に配置され且つ底部にダウンカマー８が接続されている。該ダウンカマー８は、前記熱分解器２の円筒状本体２ａより小径の管で形成され、前記ダウンカマー８の下端部は、前記流動層炉１の内部のベッド材からなる流動層１ａに埋没している。
【００３１】
前記熱分解ガス収集器３は、前記熱分解器２の内部で発生した熱分解ガスを冷却しつつ導出するものであって、前記熱分解器２の内部に配置され且つ外筒３ａと内筒３ｂとを備えている。前記内筒３ｂの下部中途位置には、前記熱分解器２の内部で発生した熱分解ガスを吸引するガス誘導管３ｃが外筒３ａを貫通するように接続されている。前記外筒３ａと内筒３ｂとの間は冷却剤流通空間３ｄであり、前記外筒３ａの外周面は断熱材３ｅ（図２参照）で覆われている。
【００３２】
前記オイル回収部Ｒは、フィルタ４と冷却分離器５と熱交換器６と貯蔵タンク７とから構成している。
【００３３】
前記フィルタ４は、前記熱分解ガス収集器３から導出される熱分解ガスの脱塵を行うようになっている。
【００３４】
前記冷却分離器５は、前記フィルタ４で脱塵された熱分解ガスを冷却してオイルを分離するようになっている。
【００３５】
前記熱交換器６は、前記冷却分離器５でオイルが分離された熱分解ガスの一部を、前記流動層炉１から導出される高温ガスと熱交換させて前記熱分解器２へ炭素質固体燃料の分散用として供給するようになっている。
【００３６】
前記貯蔵タンク７は、前記冷却分離器５で分離されたオイルを貯蔵するようになっている。
【００３７】
前記流動層炉１には、必要に応じてベッド材が添加されると共に、補助燃料が供給されるようになっている。前記補助燃料としては、前記熱交換器６から熱分解器２へ導かれる熱分解ガスの一部を用いることができる。但し、前記補助燃料は、熱分解ガスに限定されるものではなく、種々の燃料を用いることができる。
【００３８】
前記熱分解器２の円筒状本体２ａの上部には、前記熱交換器６からの熱分解ガスが炭素質固体燃料と一緒に導入されるノズル９が接続されている。その平面配置としては、例えば、図３（ａ）に示す如く、二本のノズル９を前記熱分解器２の円筒状本体２ａの上部にその半径方向へ対向して延びるよう接続することができる。又、図３（ｂ）に示す如く、四本のノズル９を前記熱分解器２の円筒状本体２ａの上部にその半径方向へ対向して延びるよう９０°ずつ角度をずらして接続することもできる。更に又、図３（ｃ）に示す如く、四本のノズル９を前記熱分解器２の円筒状本体２ａの上部にその接線方向へ延びるよう接続することもできる。尚、前記ノズル９の本数や接続の角度に関しては、必要に応じて変更できることは言うまでもない。
【００３９】
次に、上記第一実施例の作用を説明する。
【００４０】
流動層炉１である流動層燃焼器１Ａにおいては、ベッド材が流動化ガス（空気）により流動化されつつチャーが燃焼する。これが図４のステップＳ１で示す熱生成工程となる。
【００４１】
熱分解器２においては、炭素質固体燃料が分散されて降下しつつ前記流動層燃焼器１Ａにおける熱生成工程で得られる熱により加熱されて熱分解ガスが生成される。これが図４のステップＳ２で示す熱分解ガス生成工程となる。より詳しくは、熱分解ガスにより炭素質固体燃料がノズル９から熱分解器２に噴射され、分散されて降下していく際に、熱分解器２の壁からの輻射を受け、炭素質固体燃料の粒子の温度が上がり、熱分解が発生し、タール、熱分解ガス並びにチャーが生成される。前記熱分解器２で生成されたチャーは重力によって落下し、ダウンカマー８においてチャーによるシールが形成され、流動層燃焼器１Ａからの空気が熱分解器２に流入することが防止される。尚、前記流動層燃焼器１Ａで空気を流動化ガスとし、ダウンカマー８から徐々に落下したチャーを流動化させ、高温のベッド材と混合させて燃焼させることにより、前記熱分解器２の壁の温度は９００〜１０００℃に維持されている。又、前記ノズル９からの熱分解ガスによる炭素質固体燃料の噴射速度は５〜２０ｍ／ｓに設定することができる。更に又、前記熱分解器２における炭素質固体燃料の粒子の運動状態はほぼ自由落下で、炭素質固体燃料の粒子の総滞留時間は０．５〜１ｓｅｃとなり、炭素質固体燃料の粒子の自由落下の運動状態を確保するために、前記熱分解器２内のガスの流速は０．１〜０．５ｍ／ｓに設定することができる。前記熱分解器２のダウンカマー８より上の部分における高さは１〜５ｍであり、炭素質固体燃料の粒子の粒径は０．１〜５ｍｍである。但し、これらの数値は、上記の値に限定されるものではない。
【００４２】
熱分解ガス収集器３においては、前記熱分解器２における熱分解ガス生成工程で生成された熱分解ガスが冷却される。これが図４のステップＳ３で示す熱分解ガス収集工程となる。より詳しくは、前記熱分解ガス生成工程で生成された熱分解ガスはタールを含んでおり、該タールを含む熱分解ガスは、ガス誘導管３ｃを経由し、熱分解ガス収集器３の内筒３ｂに吸引され、外筒３ａと内筒３ｂとの間の冷却剤流通空間３ｄに流される冷却剤（例えば、Ｎ２）によって、熱分解ガスの温度がおよそ６５０℃から４００℃まで低下する。因みに、タールの沸点は４００℃未満（タール沸点＜４００℃）である。ここで、外筒３ａの外周面は断熱材３ｅで覆われているため、前記冷却剤流通空間３ｄに冷却剤を流すことに伴う熱分解器２の内部温度への影響が緩和されている。
【００４３】
そして、前記熱分解ガス収集器３における熱分解ガス収集工程で冷却された熱分解ガスよりオイルが回収される。これが図４のステップＳ４で示すオイル回収工程となる。フィルタ４においては、熱分解ガスの脱塵が行われる。これが図４のステップＳ５で示す脱塵工程となる。冷却分離器５においては、前記フィルタ４における脱塵工程で脱塵された熱分解ガスが冷却されてオイルが分離される。これが図４のステップＳ６で示す冷却分離工程となる。前記脱塵工程と冷却分離工程とが前記オイル回収工程に含まれる。前記オイルは、製品として貯蔵タンク７に貯蔵される。又、前記冷却分離器５における冷却分離工程でオイルが分離された熱分解ガスは、製品として回収される。
【００４４】
前記冷却分離器５における冷却分離工程でオイルが分離された熱分解ガスの一部は、熱交換器６において、前記流動層燃焼器１Ａにおける熱生成工程で生じる高温ガスと熱交換される。これが図４のステップＳ７で示す熱交換工程となる。前記熱交換器６における熱交換工程で熱交換させた熱分解ガスは、前記熱分解器２における熱分解ガス生成工程で使用される炭素質固体燃料の分散用としてノズル９へ供給される。
【００４５】
前記熱交換器６における熱交換工程で熱交換された熱分解ガスの一部は、前記流動層燃焼器１Ａにおける熱生成工程の補助燃料として用いられる。
【００４６】
この結果、特許文献１に開示されている装置において流動層式の熱分解器が使用されることによって生じていた問題が、第一実施例では解消される。
【００４７】
即ち、前記熱分解器２では、炭素質固体燃料の粒子と熱分解ガスの流通方向が重力と同じで上方から下方へ向うため、流通方向とは逆方向となる重力による流れに伴う、いわゆる逆混合（backmixing）が存在しなくなる。これによって、生成されたオイル（タール）とチャーとが接触する確率が減少し、チャーの表面で触媒作用等の影響によりオイルが分解・還元されにくくなって、オイルの収率を上げることが可能となる。
【００４８】
又、前記熱分解器２の出口は上部ではなく下部に設定され、該熱分解器２の内部で生成されたオイルの滞留時間が長くなり過ぎず、オイルが出口まで移動する過程で分解・還元されにくくなることも、オイルの収率が上がる要因となる。
【００４９】
更に又、通常、オイルの更なる反応を抑制し、オイルの収率を上げるためには、生成されたオイルを急速に冷却する必要がある。第一実施例の場合、前記熱分解器２で生成されたオイルは熱分解ガス収集器３で急速に冷却され、該熱分解器２の内部において高温下で分解・還元されにくくなり、オイルの収率低下が回避される。
【００５０】
因みに、前記炭素質固体燃料としては、バイオマス（木材、籾殻、藁、サトウキビ搾汁後の残渣であるバガス、竹等）、或いは低品位炭（褐炭、亜瀝青炭）が望ましい。オイルの収率については、バイオマスの場合、４０〜８０ｗｔ％、石炭の場合、５〜２０ｗｔ％が見込まれる。
【００５１】
尚、前記熱分解器２においては、炭素質固体燃料の粒子を分散させつつ、高温の壁からの均一な輻射によって炭素質固体燃料の熱分解に必要となる熱量を提供するため、炭素質固体燃料の粒子の加熱速度を上げることが可能となる。前記炭素質固体燃料の粒子の加熱速度が上がると、生成されるオイルの分子量が小さくなり、品質向上につながる。
【００５２】
こうして、オイルの収率向上を図り得る。
【００５３】
図５は本発明の炭素質固体燃料熱分解オイル製造方法及び装置の第二実施例であって、図中、図１〜図４と同一の符号を付した部分は同一物を表わしており、基本的な構成は図１〜図４に示す第一実施例と同様である。
【００５４】
本第二実施例の特徴とするところは、図５に示す如く、前記流動層炉１を、底部から流動化ガスとして空気と酸素と水蒸気とが導入されてベッド材を流動化させつつチャーを部分酸化させる流動層ガス化器１Ｂとした点にある。
【００５５】
図５に示すように、流動層炉１を流動層ガス化器１Ｂとすると、ベッド材が流動化ガスとしての空気と酸素と水蒸気の混合ガスにより流動化されつつチャーが燃焼ではなく部分酸化し、高温ガスとして燃料ガス（ＣＯ、Ｈ２等）が発生する。前記流動層ガス化器１Ｂで発生した高温ガスは、熱分解器２の壁を加熱しつつ上昇し、熱交換器６において、前記冷却分離器５における冷却分離工程でオイルが分離された熱分解ガスの一部と熱交換した後、燃料ガス（ＣＯ、Ｈ２等）として回収される。尚、前記酸素は純酸素が好ましいが、純酸素に限定されるものではない。これ以外の作用に関しては、図１〜図４に示す第一実施例と同様となるため、説明は省略する。
【００５６】
この結果、図５に示す第二実施例では、オイルを製造しながら、燃料ガス（ＣＯ、Ｈ２等）も製品として製造できる。
【００５７】
こうして、第二実施例においても、第一実施例と同様、オイルの収率向上を図り得る。
【００５８】
そして、前記第一実施例並びに第二実施例において、前記オイル回収工程は、図４に示す如く、熱分解ガスの脱塵を行う脱塵工程と、該脱塵工程で脱塵された熱分解ガスを冷却してオイルを分離する冷却分離工程とを含んでいる。このようにすると、不純物が除去されたオイルを効率良く製造することができる。
【００５９】
又、前記第一実施例並びに第二実施例においては、前記冷却分離工程でオイルが分離された熱分解ガスの一部を、前記熱生成工程で生じる高温ガスと熱交換させる熱交換工程を有し、該熱交換工程で熱交換させた熱分解ガスを前記熱分解ガス生成工程で使用される炭素質固体燃料の分散用として供給している。このようにすると、熱分解ガスの一部を利用して熱回収並びに炭素質固体燃料の分散を行えるため、全体の効率をより向上させることができる。
【００６０】
更に又、前記第一実施例並びに第二実施例においては、前記熱交換工程で熱交換された熱分解ガスの一部を前記熱生成工程の補助燃料として用いている。このようにすると、特別な補助燃料を使用せずに熱生成を行うことができる。
【００６１】
一方、前記第一実施例並びに第二実施例においては、炭素質固体燃料を分散させて降下させつつ流動層炉１で得られる熱により加熱して熱分解ガスを生成する熱分解器２と、該熱分解器２の内部で発生した熱分解ガスを冷却しつつ導出する熱分解ガス収集器３と、前記熱分解ガス収集器３から導出される熱分解ガスよりオイルを回収するオイル回収部Ｒとを備えている。このように構成すると、オイルの収率向上を図り得る。
【００６２】
前記第一実施例において、前記流動層炉１は、底部から流動化ガスとして空気が導入されてベッド材を流動化させつつチャーを燃焼させる流動層燃焼器１Ａである。このように構成すると、前記流動層燃焼器１Ａで得られる熱を利用して熱分解ガスを生成することができる。
【００６３】
前記第二実施例において、前記流動層炉１は、底部から流動化ガスとして空気と酸素と水蒸気とが導入されてベッド材を流動化させつつチャーを部分酸化させる流動層ガス化器１Ｂである。このように構成すると、前記流動層ガス化器１Ｂで得られる熱を利用して熱分解ガスを生成することができると共に、オイルを製造しながら、燃料ガス（ＣＯ、Ｈ２等）も製品として製造できる。
【００６４】
前記第一実施例並びに第二実施例において、前記熱分解器２は、前記流動層炉１の内部に配置され且つ底部にダウンカマー８が接続され、該ダウンカマー８の下端部は、前記流動層炉１の内部のベッド材からなる流動層１ａに埋没している。このように構成すると、前記熱分解器２で生成されたチャーを重力によって落下させ、ダウンカマー８においてチャーによるシールを形成し、流動層炉１からの空気が熱分解器２に流入することを防止できる。
【００６５】
前記第一実施例並びに第二実施例において、前記熱分解ガス収集器３は、前記熱分解器２の内部に配置され且つ外筒３ａと内筒３ｂとを備え、前記内筒３ｂには、前記熱分解器２の内部で発生した熱分解ガスを吸引するガス誘導管３ｃが接続され、前記外筒３ａと内筒３ｂとの間は冷却剤流通空間３ｄであり、前記外筒３ａの外周面は断熱材３ｅで覆われている。このように構成すると、前記熱分解器２で生成されたタールを含む熱分解ガスを、ガス誘導管３ｃから熱分解ガス収集器３の内筒３ｂに吸引し、外筒３ａと内筒３ｂとの間の冷却剤流通空間３ｄに冷却剤を流すことによって、熱分解ガスの温度を低下させることができ、更に、外筒３ａの外周面は断熱材３ｅで覆われているため、前記冷却剤流通空間３ｄに冷却剤を流すことに伴う熱分解器２の内部温度への影響を緩和することができる。
【００６６】
前記第一実施例並びに第二実施例においては、前記熱分解ガス収集器３から導出される熱分解ガスの脱塵を行うフィルタ４と、該フィルタ４で脱塵された熱分解ガスを冷却してオイルを分離する冷却分離器５とを備えている。このように構成すると、フィルタ４と冷却分離器５とによって不純物が除去されたオイルを効率良く製造することができる。
【００６７】
前記第一実施例並びに第二実施例においては、前記冷却分離器５でオイルが分離された熱分解ガスの一部を、前記流動層炉１から導出される高温ガスと熱交換させて前記熱分解器２へ炭素質固体燃料の分散用として供給する熱交換器６を備えている。このように構成すると、熱分解ガスの一部を利用して熱交換器６で熱回収を行い、該熱交換器６で昇温した熱分解ガスにより炭素質固体燃料の分散を行えるため、全体の効率をより向上させることができる。
【００６８】
前記第一実施例並びに第二実施例において、前記熱交換器６から熱分解器２へ導かれる熱分解ガスの一部は、前記流動層炉１の補助燃料として用いられる。このように構成すると、特別な補助燃料を使用せずに流動層炉１で熱生成を行うことができる。
【００６９】
前記第一実施例並びに第二実施例において、前記熱分解器２は、前記熱交換器６からの熱分解ガスが炭素質固体燃料と一緒に導入される複数のノズル９を備え、該ノズル９は、図３（ａ）或いは図３（ｂ）に示す如く、前記熱分解器２の円筒状本体２ａの上部にその半径方向へ対向して延びるよう接続される。このように構成すると、熱分解器２の内部における熱分解ガス及び炭素質固体燃料の滞留時間を短くすると共に、熱分解器２の内部における熱分解ガス及び炭素質固体燃料の混合をより促進させることができる。
【００７０】
前記第一実施例並びに第二実施例において、前記熱分解器２は、前記熱交換器６からの熱分解ガスが炭素質固体燃料と一緒に導入されるノズル９を備え、該ノズル９は、図３（ｃ）に示す如く、前記熱分解器２の円筒状本体２ａの上部にその接線方向へ延びるよう接続される。このように構成すると、熱分解器２の円筒状本体２ａの内壁面に沿う熱分解ガス及び炭素質固体燃料の旋回流を強め、該熱分解ガス及び炭素質固体燃料と流動層炉１内部の流動化ガスとの熱交換効率をより高めることができる。
【００７１】
尚、本発明の炭素質固体燃料熱分解オイル製造方法及び装置は、上述の実施例にのみ限定されるものではなく、本発明の要旨を逸脱しない範囲内において種々変更を加え得ることは勿論である。
【符号の説明】
【００７２】
１        流動層炉
１Ａ      流動層燃焼器
１Ｂ      流動層ガス化器
１ａ      流動層
２        熱分解器
２ａ      円筒状本体
３        熱分解ガス収集器
３ａ      外筒
３ｂ      内筒
３ｃ      ガス誘導管
３ｄ      冷却剤流通空間
３ｅ      断熱材
４        フィルタ
５        冷却分離器
６        熱交換器
８        ダウンカマー
９        ノズル
Ｒ        オイル回収部
【図１】
2018030900.tif 000003
【図２】
2018030900.tif 000004
【図３】
2018030900.tif 000005
【図４】
2018030900.tif 000006
【図５】
2018030900.tif 000007